(57)【要約】      （修正有）【課題】外部空気の流入通路を単純化して製造コスト及び生産コストを節減することができる経管営養食フィーディングセットを提供する。【解決手段】経管営養食フィーディングセットは、栄養食収容部１１０、及び保存された営養食が排出される排出流路が内部に形成され、外周面に雄ネジ部１３３が備えられた排出口１３０を備えた栄養パック１００と、前記排出口に締結され、第１栄養食通過流路２１１が内部に形成され、前記雄ネジ部と螺合し、溝２１３に流入した外部空気が移送される空気流通路が内周面に形成される雌ネジ部２１５を備えた連結部２１０、及び前記連結部の下部に備えられ、前記連結部と連通するように連結され、内部に第２栄養食通過流路が形成されたコネクター２３０を備えた連結ボディー２００とを含み、前記連結部の内部底面と前記排出口の下端の間に前記空気流通路と連通する空気伝達流路が形成される。【選択図】図１
2020182820.tif 000002
【特許請求の範囲】
【請求項１】
内部に営養食が保存される栄養食収容部、及び前記栄養食収容部と連通するように連結され、前記栄養食収容部に保存された営養食が排出される排出流路が内部に形成され、外周面に雄ネジ部が備えられた排出口を備えた栄養パックと、
前記排出口に締結され、営養食が通過する第１栄養食通過流路が内部に形成され、外部空気が流入する溝が上面に形成され、前記雄ネジ部と螺合し、前記溝に流入した外部空気が移送される空気流通路が内周面に形成される雌ネジ部を備えた連結部、及び前記連結部の下部に備えられ、前記連結部と連通するように連結され、内部に第２栄養食通過流路が形成されたコネクターを備えた連結ボディーとを含み、
前記連結部と前記排出口が螺合する場合、前記連結部の内部底面と前記排出口の下端が互いに離隔するように配置され、前記連結部の内部底面と前記排出口の下端の間に前記空気流通路と連通する空気伝達流路を有する、経管営養食フィーディングセット。
【請求項２】
前記雄ネジ部の外径が前記雌ネジ部の谷径より小さくて前記雌ネジ部の内径より大きく形成され、前記雄ネジ部と前記雌ネジ部の間に前記空気流通路を有する、請求項１に記載の経管営養食フィーディングセット。
【請求項３】
前記排出口は、前記雄ネジ部の螺旋に沿って互いに離隔するように配置され、陷沒して形成された多数の雄ネジ溝をさらに含み、
高さ方向を基準に隣接した前記雄ネジ溝は互いにずれて配置されている、請求項１に記載の経管営養食フィーディングセット。
【請求項４】
前記連結部は、前記雌ネジ部の螺旋に沿って互いに離隔するように配置され、陷沒して形成された多数の雌ネジ溝をさらに含み、
高さ方向を基準に隣接した前記雌ネジ溝は互いにずれて配置されている、請求項３に記載の経管営養食フィーディングセット。
【請求項５】
前記連結部の内部底面に設置され、前記連結部と前記排出口が螺合する場合、前記排出口の内部に配置され、営養食が前記排出流路を通過する場合、ベンチュリ効果によって外部空気が前記空気流通路と前記空気伝達流路に沿って前記排出流路側に誘引されるようにする空気誘引ノズルをさらに含む、請求項１に記載の経管営養食フィーディングセット。
【請求項６】
前記空気誘引ノズルは、
前記連結部の内部底面に取り付けられ、円周方向に連続して形成され、高さ方向に長く形成され、前記連結部と前記排出口が螺合する場合、前記排出口の内周面から離隔するように配置され、上端が湾曲するように形成された湾曲部と、
前記排出口の内周面に円周方向に連続して形成され、内側に突出するように形成され、前記連結部と前記排出口が螺合する場合、前記湾曲部の上部に離隔するように配置され、前記排出流路を通過する営養食を前記湾曲部の内部に案内するように上面が曲面形状を有する案内部と、
前記湾曲部の外周面と前記排出口の内周面の間にかつ前記湾曲部の上端と前記案内部の下面の間に形成され、ベンチュリ効果によって外部空気が前記空気流通路と前記空気伝達流路に沿って吸入される通路である吸入部とを含む、請求項５に記載の経管営養食フィーディングセット。
【請求項７】
内部に営養食が保存される栄養食収容部、及び前記栄養食収容部と連通するように連結され、前記栄養食収容部に保存された営養食が排出される排出流路が内部に形成され、外周面に雄ネジ部が備えられた排出口を備えた栄養パックと、
前記排出口に締結され、営養食が通過する第１栄養食通過流路が内部に形成され、前記雄ネジ部と螺合する雌ネジ部が内周面に備えられ、一側に外部空気が流入する空気流入孔が形成された連結部、前記空気流入孔に取り付けられて外部空気のみ通過させるチェックバルブ、及び前記連結部の下部に備えられ、前記連結部と連通するように連結され、内部に第２栄養食通過流路が形成されたコネクターを備えた連結ボディーとを含み、
前記連結部と前記排出口が螺合する場合、前記連結部の内部底面と前記排出口の下端が互いに離隔するように配置され、前記連結部の内部底面と前記排出口の下端の間に前記空気流入孔と連通する空気伝達流路が形成されている、経管営養食フィーディングセット。
【請求項８】
前記連結部の内部底面に取り付けられ、前記連結部と前記排出口が螺合する場合、前記排出口の内部に配置され、営養食が前記排出流路を通過する場合、ベンチュリ効果によって外部空気が前記空気流入孔に取り付けられた前記チェックバルブを通過した後、前記空気伝達流路に沿って前記排出流路側に誘引されるようにする空気誘引ノズルをさらに含む、請求項７に記載の経管営養食フィーディングセット。
【請求項９】
前記空気誘引ノズルは、
前記連結部の内部底面に取り付けられ、円周方向に連続して形成され、高さ方向に長く形成され、前記連結部と前記排出口が螺合する場合、前記排出口の内周面から離隔するように配置され、上端が湾曲するように形成された湾曲部と、
前記排出口の内周面に円周方向に連続して形成され、内側に突出するように形成され、前記連結部と前記排出口が螺合する場合、前記湾曲部の上部に離隔するように配置され、前記排出流路を通過する営養食を前記湾曲部の内部に案内するように上面が曲面形状を有する案内部と、
前記湾曲部の外周面と前記排出口の内周面の間にかつ前記湾曲部の上端と前記案内部の下面の間に形成され、ベンチュリ効果によって外部空気が前記空気流入孔に取り付けられた前記チェックバルブを通過した後、前記空気伝達流路に沿って吸入される通路である吸入部とを含む、請求項８に記載の経管営養食フィーディングセット。
【発明の詳細な説明】
【技術分野】
【０００１】
本発明は単純な構造に構成されて製造コスト及び生産コストを低減することができる経管営養食フィーディングセットに関する。
【背景技術】
【０００２】
一般に、口腔で必須栄養を適切に摂取することができない患者に営養食、電解質、ビタミン、タンパク質、脂肪及びカロリーなどを維持及び補充するか、あるいは応急状態で薬物を速かに供給するために、病院では静脈注射などを介して患者の静脈内に営養食又は薬物を投与することになる。
【０００３】
ここで、営養食又は薬物を投与する方法には、中心静脈にカテーテルを留置して高エネルギーの営養食を注入する経静脈栄養法と、消化管を通して栄養を摂取させる生理的な方法である経腸栄養法がある。
【０００４】
ここで、経腸栄養法は経口栄養法と経管栄養法に区分される。
【０００５】
経口栄養法は口腔を通して営養物を摂取させるもので、栄養物は経口摂取から始まり、口腔内での咀嚼、胃内での消化を経て腸での消化及び吸収という生理的な経路を通して一定したリズムで吸収される方法である。
【０００６】
経管栄養法は挿入チューブを挿入して営養物を普及するもので、経口で営養物を充分に摂取することができない場合に用いられ、食道から腸に至る各部位に挿入チューブを挿入し、挿入された挿入チューブを通して営養物を供給する方法である。
特に、経管栄養法は、営養分の供給時、一定の高さに設置され、営養物が満たされる容器パックと、容器に連結され、患者に営養分を供給させるフィーディングセットとを通してなされる。
【０００７】
ここで、容器は洗浄作業によって反復的に再使用されるものであるが、この過程で洗浄が円滑にできなくて非衛生的な問題が頻繁に発生し、これによって使用者は強い拒否感を現しているのが実情である。
【０００８】
最近には、前述の欠点を解消するために、病院又は家庭で患者により多様な形態の営養食を衛生的でありながらも簡便に提供するために、１回用経管営養食が開発され、使われている。
【０００９】
このような１回用経管営養食は、多様な営養食がパック状の包装容器に包装された状態で販売されており、包装容器には、フィーディングセットと直接的に連結されるスパウト（ｓｐｏｕｔ）が外部に突出するように取り付けられ、フィーディングセットに連結された形態で使われている。
【００１０】
一方、特許文献１に開示された経管営養食供給用媒介ユニットは、内部に飲食物が包装された包装容器の入口に着脱可能に連結される連結ボディーと、前記連結ボディー上に取り付けられ、経管栄養法の使用時に前記包装容器の内部とフィーディングセットが連結されるスタッドコネクターと、前記スタッドコネクター上に取り付けられ、外部空気の流入は許容するが、内部に沿って流動する飲食物の排出は遮断するチェックバルブとを含む。
【００１１】
この特許文献１に記載の経管営養食供給用媒介ユニットは、前記スタッドコネクターにチェックバルブを取り付け、外部空気を営養食が流動する通路に供給することによって営養食の流動速度を高めたが、前記チェックバルブを取り付けるために前記スタッドコネクターの外周面に取付ゲートを突設し、設置ゲートにチェックバルブを締結する。また、前記設置ゲートは空気流入通路の外側にゲートフレームがアーチ形に突設され、突出した下端部が連結ボディーの上側面に連結される。
【００１２】
前述したように、特許文献１に記載の従来技術は、外部空気を前記スタッドコネクターの内部に伝達するために、前記スタッドコネクターに前記取付ゲートを取り付け、前記取付ゲートの内部に前記チェックバルブを取り付けなければならないため、製造工程が複雑であり、よって製造コスト及び生産コストが多くかかる問題点があった。
【先行技術文献】
【特許文献】
【００１３】
【特許文献１】韓国特許登録第１０−１８８３８８０号公報
【発明の概要】
【発明が解決しようとする課題】
【００１４】
本発明は前述の問題点を解決するために案出されたものであって、本発明の目的は、外部空気の流入通路を単純化して製造コスト及び生産コストを節減することができる経管営養食フィーディングセットを提供することである。
【課題を解決するための手段】
【００１５】
本発明の一側面によれば、内部に栄養食が保存される栄養（営養）食収容部、及び前記栄養食収容部と連通するように連結され、前記栄養食収容部に保存された営養食が排出される排出流路が内部に形成され、外周面に雄ネジ部が備えられた排出口を備えた栄養パックと、前記排出口に締結され、営養食が通過する第１栄養食通過流路が内部に形成され、外部空気が流入する溝が上面に形成され、前記雄ネジ部と螺合し、前記溝に流入した外部空気が移送される空気流通路が内周面に形成される雌ネジ部を備えた連結部、及び前記連結部の下部に備えられ、前記連結部と連通するように連結され、内部に第２栄養食通過流路が形成されたコネクターを備えた連結ボディーとを含み、前記連結部と前記排出口が螺合する場合、前記連結部の内部底面と前記排出口の下端が互いに離隔するように配置され、前記連結部の内部底面と前記排出口の下端の間に前記空気流通路と連通する空気伝達流路が形成される、経管営養食フィーディングセットが提供される。
【００１６】
前記雄ネジ部の外径が前記雌ネジ部の谷径より小さく、前記雌ネジ部の内径より大きく形成され、前記雄ネジ部と前記雌ネジ部の間に前記空気流通路が形成されることができる。
【００１７】
前記排出口は、前記雄ネジ部の螺旋に沿って互いに離隔するように配置され、陷沒して形成された多数の雄ネジ溝をさらに含むことができ、高さ方向を基準に隣接した前記雄ネジ溝は互いにずれて配置されることができる。
【００１８】
前記連結部は、前記雌ネジ部の螺旋に沿って互いに離隔するように配置され、陷沒して形成された多数の雌ネジ溝をさらに含むことができ、高さ方向を基準に隣接した前記雌ネジ溝は互いにずれて配置されることができる。
【００１９】
前記連結部の内部底面に設置され、前記連結部と前記排出口が螺合する場合、前記排出口の内部に配置され、営養食が前記排出流路を通過する場合、ベンチュリ効果によって外部空気が前記空気流通路と前記空気伝達流路に沿って前記排出流路側に誘引されるようにする空気誘引ノズルをさらに含むことができる。
【００２０】
前記空気誘引ノズルは、前記連結部の内部底面に取り付けられ、円周方向に連続して形成され、高さ方向に長く形成され、前記連結部と前記排出口が螺合する場合、前記排出口の内周面から離隔するように配置され、上端が湾曲するように形成された湾曲部と、前記排出口の内周面に円周方向に連続して形成され、内側に突出するように形成され、前記連結部と前記排出口が螺合する場合、前記湾曲部の上部に離隔するように配置され、前記排出流路を通過する営養食を前記湾曲部の内部に案内するように上面が曲面形状を有する案内部と、前記湾曲部の外周面と前記排出口の内周面の間にかつ前記湾曲部の上端と前記案内部の下面の間に形成され、ベンチュリ効果によって外部空気が前記空気流通路と前記空気伝達流路に沿って吸入される通路である吸入部とを含むことができる。
【００２１】
本発明の他の側面によれば、内部に営養食が保存される栄養食収容部、及び前記栄養食収容部と連通するように連結され、前記栄養食収容部に保存された営養食が排出される排出流路が内部に形成され、外周面に雄ネジ部が備えられた排出口を備えた栄養パックと、前記排出口に締結され、営養食が通過する第１栄養食通過流路が内部に形成され、前記雄ネジ部と螺合する雌ネジ部が内周面に備えられ、一側に外部空気が流入する空気流入孔が形成された連結部、前記空気流入孔に取り付けられて外部空気のみ通過させるチェックバルブ、及び前記連結部の下部に備えられ、前記連結部と連通するように連結され、内部に第２栄養食通過流路が形成されたコネクターを備えた連結ボディーとを含み、前記連結部と前記排出口が螺合する場合、前記連結部の内部底面と前記排出口の下端が互いに離隔するように配置され、前記連結部の内部底面と前記排出口の下端の間に前記空気流入孔と連通する空気伝達流路が形成される、経管営養食フィーディングセットが提供される。
【００２２】
前記連結部の内部底面に取り付けられ、前記連結部と前記排出口が螺合する場合、前記排出口の内部に配置され、営養食が前記排出流路を通過する場合、ベンチュリ効果によって外部空気が前記空気流入孔に取り付けられた前記チェックバルブを通過した後、前記空気伝達流路に沿って前記排出流路側に誘引されるようにする空気誘引（空気吸引）ノズルをさらに含むことができる。
【００２３】
前記空気誘引ノズルは、前記連結部の内部底面に取り付けられ、円周方向に連続して形成され、高さ方向に長く形成され、前記連結部と前記排出口が螺合する場合、前記排出口の内周面から離隔するように配置され、上端が湾曲するように形成された湾曲部と、前記排出口の内周面に円周方向に連続して形成され、内側に突出するように形成され、前記連結部と前記排出口が螺合する場合、前記湾曲部の上部に離隔するように配置され、前記排出流路を通過する営養食を前記湾曲部の内部に案内するように上面が曲面形状を有する案内部と、前記湾曲部の外周面と前記排出口の内周面の間にかつ前記湾曲部の上端と前記案内部の下面の間に形成され、ベンチュリ効果によって外部空気が前記空気流入孔に取り付けられた前記チェックバルブを通過した後、前記空気伝達流路に沿って吸入される通路である吸入部とを含むことができる。
【発明の効果】
【００２４】
本発明の一側面によれば、連結部の上面に溝を形成し、排出口の雄ネジ部と連結部の雌ネジ部の間に空気流通路を形成し、排出口と連結部の間に空気伝達流路を形成することにより、第１営養食通過流路に供給される外部空気の流入通路を単純化することができ、これにより製造コスト及び生産コストを節減することができる。
また、本発明の一側面によればは、連結部の一側に空気流入孔を形成し、空気流入孔にチェックバルブを取り付けることにより、外部空気の流入通路を単純化することができる。
【図面の簡単な説明】
【００２５】
【図１】本発明の第１実施例による経管営養食フィーディングセットの分解斜視図である。
【図２】本発明の第１実施例による栄養パック及び連結ボディーの拡大図である。
【図３】本発明の第１実施例による栄養パック及び連結ボディーの結合状態を示す部分断面図である。
【図４】本発明の第２実施例による経管営養食フィーディングセットの分解斜視図である。
【図５】本発明の第２実施例による栄養パック及び連結ボディーの拡大図である。
【図６】本発明の第２実施例による栄養パック及び連結ボディーの結合状態を示部分断面図である。
【図７】本発明の第３実施例による経管営養食フィーディングセットの分解斜視図である。
【図８】本発明の第３実施例による栄養パック及び連結ボディーの拡大図である。
【図９】本発明の第３実施例による栄養パック及び連結ボディーの結合状態を示す部分断面図である。
【図１０】本発明の第４実施例による栄養パック、連結ボディー及び空気誘引ノズルの結合状態を示す断面図である。
【図１１】本発明の第５実施例による栄養パック及び連結ボディーの結合状態を示す断面図である。
【図１２】本発明の第６実施例による栄養パック、連結ボディー及び空気誘引ノズルの結合状態を示す断面図である。
【発明を実施するための形態】
【００２６】
以下、本発明の実施例を添付図面に基づいて、より具体的に説明する。
【００２７】
添付図面は本発明の実施例をより具体的に説明するために示す一例に過ぎないもので、本発明の技術的思想が添付図面の形態に限定されるものではない。
【００２８】
以下では、本発明の第１実施例による経管営養食フィーディングセットを説明する。
【００２９】
図１は本発明の第１実施例による経管営養食フィーディングセットの分解斜視図、図２は本発明の第１実施例による栄養パック及び連結ボディーの拡大図、図３は本発明の第１実施例による栄養パック及び連結ボディーの結合状態を示す部分断面図である。
【００３０】
図１〜図３を参照すると、本発明の第１実施例による経管営養食フィーディングセットは、栄養パック１００と、栄養パック１００に連結される連結ボディー２００と、連結ボディー２００に連結される供給管Ｐ１と、供給管Ｐ１に連結され、栄養パック１００の営養食が集まるチャンバーＰ２と、チャンバーＰ２上の営養食が供給される速度を調節するクランプＰ３と、チャンバーＰ２に集まった営養食を患者に供給する挿入チューブＰ４とを含む。
【００３１】
栄養パック１００は営養食を保存し、保存された営養食を患者に提供する役割をする。本実施例による栄養パック１００は、市場で一般的に包装されて販売されている牛乳などの多様な営養食が包装されたテトラパック（ｔｅｔｒａ  ｐａｋ）であってもよい。
【００３２】
具体的には、栄養パック１００は、内部に営養食が保存される栄養食収容部１１０と、栄養食収容部１１０と連通するように連結されて営養食を排出する排出口１３０とを含む。
【００３３】
排出口１３０は、栄養食収容部１１０に保存された営養食が排出される排出流路１３１が内部に形成される。栄養パック１００の排出口１３０と後述する連結ボディー２００の連結部２１０が締結された状態で、営養食は栄養食収容部１１０から排出流路１３１を通して後述する連結部２１０の第１栄養食通過流路２１１に移動及び伝達される。
【００３４】
そして、排出口１３０の外周面には雄ネジ部１３３が備えられる。雄ネジ部１３３はボルトのネジ部と類似した形状に形成される。
【００３５】
連結ボディー２００は排出口１３０に締結され、営養食を供給管Ｐ１に供給する役割をする。
【００３６】
連結ボディー２００は栄養パック１００の排出口１３０に締結され、排出口１３０から落下した営養食が通過する第１及び第２栄養食通過流路２１１、２３１が内部に形成される。
【００３７】
具体的には、連結ボディー２００は、排出口１３０と螺合する連結部２１０と、連結部２１０の下部に備えられ、連結部２１０と連通するように連結されたコネクター２３０とを含む。
【００３８】
連結部２１０は営養食が通過する第１栄養食通過流路２１１が内部に形成され、外部空気が流入する溝（ｇｒｏｏｖｅ）２１３が上面に形成され、排出口１３０の雄ネジ部１３３と螺合する雌ネジ部２１５が内周面に備えられる。
【００３９】
連結部２１０と排出口１３０が螺合するように、連結部２１０の内周面には排出口１３０の雄ネジ部１３３に対応する雌ネジ部２１５が備えられる。よって、連結部２１０と排出口１３０が螺合することにより、互いに着脱可能に結合することができる。
【００４０】
一方、図３に示すように、本実施例では、連結部２１０と排出口１３０が螺合した状態で外部空気が連結部２１０の第１栄養食通過流路２１１に流入することができるように、排出口１３０の雄ネジ部１３３と連結部２１０の雌ネジ部２１５の間に空気流通路２５０が形成される。連結部２１０と排出口１３０が螺合した状態で排出口１３０の雄ネジ部１３３と連結部２１０の雌ネジ部２１５の間に空気流通路２５０を形成するために、排出口１３０の雄ネジ部１３３の外径Ｄ１が連結部２１０の雌ネジ部２１５の谷径Ｄ３より小さく、連結部２１０の雌ネジ部２１５の内径Ｄ４より大きく形成される。また、排出口１３０の雄ネジ部１３３の谷径Ｄ２は連結部２１０の雌ネジ部２１５の内径Ｄ４より小さく形成される。前記のように、排出口１３０の雄ネジ部１３３と連結部２１０の雌ネジ部２１５を形成することにより、排出口１３０と連結部２１０が螺合した状態で雄ネジ部１３３と雌ネジ部２１５の間に離隔した空気流通路２５０が形成される。空気流通路２５０は雄ネジ部１３３及び雌ネジ部２１５の螺旋構造に対応する螺旋流路を有する。外部空気は空気流通路２５０を通して螺旋に移送されて第１栄養食通過流路２１１に流入する。
【００４１】
また、本実施例では、空気流通路２５０に外部空気を流入させるために、連結部２１０の上面に外部空気が流入する溝２１３が形成される。溝２１３は連結部２１０の上面に円周方向に沿って互いに離隔するように多数形成される。よって、外部空気は多数の溝２１３を通して空気流通路２５０に移送される。
【００４２】
コネクター２３０は連結部２１０の下部に連結部２１０と連通するように形成され、内部に第１栄養食通過流路２１１と連通する第２栄養食通過流路２３１が形成される。また、コネクター２３０は連結部２１０と一体に形成できる。
【００４３】
一方、連結部２１０と排出口１３０が螺合する場合、連結部２１０の内部底面と排出口１３０の下端が互いに離隔するように配置される。すなわち、連結部２１０の高さ方向への長さを排出口１３０の高さ方向への長さより長くすることにより、連結部２１０と排出口１３０を螺合する場合、連結部２１０の内部底面と排出口１３０の下端の間に離隔した空間が形成されるようにする。ここで、連結部２１０の内部底面と排出口１３０の下端の間に離隔した空間は空気伝達流路２７０を形成し、空気伝達流路２７０は空気流通路２５０と連通する。外部空気は溝と空気流通路２５０と空気伝達流路２７０を通して第１栄養食通過流路２１１に移送される。
【００４４】
供給管Ｐ１は連結ボディー２００のコネクター２３０に連結されることにより、連結ボディー２００を通過した営養食が供給される。チャンバーＰ２は供給管Ｐ１に連結され、移送された営養食が一時保存される。クランプＰ３はチャンバーＰ２の営養食が患者に供給される速度を調節する役割をし、クランプＰ３は公知の技術であるので、これについての詳細な説明は省略する。挿入チューブＰ４は患者の食道から腸に至る各部位を手術で切開した部分又は鼻を通してチャンバーＰ２から移送された営養食を直接供給する通路の役割をする。
【００４５】
前記のように構成される本発明の第１実施例による経管営養食供給方法を説明すれば次のようである。
【００４６】
図３を参照すると、まず栄養食収容部１１０に保存された営養食は排出口１３０の排出流路１３１を通して連結部２１０の第１栄養食通過流路２１１に移動及び伝達される。
【００４７】
このとき、外部空気は連結部２１０の上面に形成された多数の溝２１３と排出口１３０の雄ネジ部１３３と連結部２１０の雌ネジ部２１５の間に形成された空気流通路２５０と連結部２１０の内部底面と排出口１３０の下端の間に形成された空気伝達流路２７０に沿って順に移送された後、連結部２１０の第１栄養食通過流路２１１に移送される。
【００４８】
そして、第１栄養食通過流路２１１に移送された外部空気は排出口１３０の排出流路１３１の上部及び栄養食収容部１１０の上部に上昇する。そして、栄養食収容部１１０の上部に上昇した外部空気は営養食を加圧して営養食が下方に落下するようにして営養食の流動速度を高めることができる。
【００４９】
前述したように、本発明の第１実施例による経管営養食フィーディングセットは、連結部２１０の上面に溝２１３を形成し、排出口１３０の雄ネジ部１３３と連結部２１０の雌ネジ部２１５の間に溝２１３と連通する空気流通路２５０を形成し、排出口１３０の下端と連結部２１０の内部底面の間に空気伝達流路２７０を形成することにより、第１栄養食通過流路２１１に供給される外部空気の流入通路を単純化することができ、製造コスト及び生産コストを節減することができる利点がある。
【００５０】
そして、第１栄養食通過流路２１１に移送された営養食は供給管Ｐ１、チャンバーＰ２、クランプＰ３及び挿入チューブＰ４を通して患者に供給される。
【００５１】
以下では本発明の第２実施例による経管営養食フィーディングセットを説明する。
【００５２】
図４は本発明の第２実施例による経管営養食フィーディングセットの分解斜視図、図５は本発明の第２実施例による栄養パック及び連結ボディーの拡大図、図６は本発明の第２実施例による栄養パック及び連結ボディーの結合状態を示す部分断面図である。
【００５３】
図４〜図６を参照すると、本発明の第２実施例による経管営養食フィーディングセットは、栄養パック１００と、栄養パック１００に連結される連結ボディー２００と、連結ボディー２００に連結される供給管Ｐ１と、供給管Ｐ１に連結され、栄養パック１００の営養食が集まるチャンバーＰ２と、チャンバーＰ２上の営養食が供給される速度を調節するクランプＰ３と、チャンバーＰ２に集まった営養食を患者に供給する挿入チューブＰ４とを含む。
【００５４】
本発明の第２実施例による供給管Ｐ１、チャンバーＰ２、クランプＰ３及び挿入チューブＰ４は本発明の第１実施例による供給管Ｐ１、チャンバーＰ２、クランプＰ３及び挿入チューブＰ４と同一であるので、これについての詳細な説明は省略し、以下では第１実施例と違う栄養パック１００及び連結ボディー２００について説明する。
【００５５】
栄養パック１００は、内部に営養食が保存される栄養食収容部１１０と、栄養食収容部１１０と連通するように連結され、営養食を排出する排出口１３０とを含む。
【００５６】
排出口１３０は、栄養食収容部１１０に保存された営養食が排出される排出流路１３１と、外周面に備えられた雄ネジ部１３３と、雄ネジ部１３３の螺旋に沿って互いに離隔するように陷沒して形成された多数の雄ネジ溝１３５とを含む。そして、図５に示すように、高さ方向を基準に隣接した雄ネジ溝１３５は互いにずれた位置に配置される。
【００５７】
連結ボディー２００は、排出口１３０と螺合する連結部２１０と、連結部２１０の下部に備えられ、連結部２１０と連通するように連結されたコネクター２３０とを含む。連結部２１０は、内部に営養食が通過するように形成された第１栄養食通過流路２１１と、外部空気が流入するように上面に形成された溝２１３と、排出口１３０の雄ネジ部１３３と螺合するように内周面に備えられた雌ネジ部２１５とを含む。
【００５８】
一方、図６に示すように、本実施例では、連結部２１０と排出口１３０が螺合した状態で外部空気が連結部２１０の第１栄養食通過流路２１１に流入することができるように、排出口１３０の雄ネジ部１３３と連結部２１０の雌ネジ部２１５の間に空気流通路２５０が形成される。連結部２１０と排出口１３０が螺合した状態で排出口１３０の雄ネジ部１３３と連結部２１０の雌ネジ部２１５の間に空気流通路２５０を形成するために、排出口１３０の雄ネジ部１３３の外径Ｄ１が連結部２１０の雌ネジ部２１５の谷径Ｄ３より小さくて連結部２１０の雌ネジ部２１５の内径Ｄ４より大きく形成される。また、排出口１３０の雄ネジ部１３３の谷径Ｄ２は連結部２１０の雌ネジ部２１５の内径Ｄ４より小さく形成される。前記のような排出口１３０の雄ネジ部１３３と連結部２１０の雌ネジ部２１５を形成することにより、排出口１３０と連結部２１０が螺合した状態で雄ネジ部１３３と雌ネジ部２１５の間に離隔した空気流通路２５０が形成される。空気流通路２５０は雄ネジ部１３３及び雌ネジ部２１５の螺旋構造に対応する螺旋流路を有する。そして、排出口１３０の雄ネジ部１３３の螺旋に沿って互いに離隔するように多数の雄ネジ溝１３５が形成されるので、空気流通路２５０は雄ネジ溝１３５から分岐した分岐流路を有し、外部空気は雄ネジ溝１３５によって形成された分岐流路に沿って分岐して移送された後、下部に隣接した空気流通路２５０に合流する。そして、外部空気は空気流通路２５０に沿って移送された後、第１栄養食通過流路２１１に流入する。
【００５９】
また、本実施例では、空気流通路２５０に外部空気を流入させるために、連結部２１０の上面に外部空気が流入する溝２１３が形成される。溝２１３は連結部２１０の上面に円周方向に沿って互いに離隔するように多数形成される。したがって、外部空気は多数の溝２１３を通して空気流通路２５０に移送される。
【００６０】
コネクター２３０は連結部２１０の下部に連結部２１０と連通するように形成され、内部に第１栄養食通過流路２１１と連通する第２栄養食通過流路２３１が形成される。また、コネクター２３０は連結部２１０と一体に形成できる。
【００６１】
一方、連結部２１０と排出口１３０が螺合する場合、連結部２１０の内部底面と排出口１３０の下端が互いに離隔するように配置される。すなわち、連結部２１０の高さ方向への長さを排出口１３０の高さ方向への長さより長くすることにより、連結部２１０と排出口１３０を螺合する場合、連結部２１０の内部底面と排出口１３０の下端の間に離隔した空間が形成されるようにする。ここで、連結部２１０の内部底面と排出口１３０の下端の間に離隔した空間は空気伝達流路２７０をなし、空気伝達流路２７０は空気流通路２５０と連通する。外部空気は溝と空気流通路２５０と空気伝達流路２７０を通して第１栄養食通過流路２１１に移送される。
【００６２】
前記のように構成される本発明の第２実施例による経管営養食供給方法を説明すれば次のようである。
【００６３】
図６を参照すると、まず栄養食収容部１１０に保存された営養食は排出口１３０の排出流路１３１を通して連結部２１０の第１栄養食通過流路２１１に移動及び伝達される。
【００６４】
このとき、外部空気は連結部２１０の上面に形成された多数の溝２１３と排出口１３０の雄ネジ部１３３と連結部２１０の雌ネジ部２１５の間に形成された空気流通路２５０と連結部２１０の内部底面と排出口１３０の下端の間に形成された空気伝達流路２７０とに沿って順に移送された後、連結部２１０の第１栄養食通過流路２１１に移送される。一方、雄ネジ部１３３の螺旋に沿って多数の雄ネジ溝１３５が互いに離隔するように形成されるので、外部空気は雄ネジ溝１３５から分岐して下部に隣接した空気流通路２５０に流入して合流することができ、よって空気流通路２５０に沿って移送される外部空気が円滑に流れるようにすることができる。
【００６５】
そして、第１栄養食通過流路２１１に移送された外部空気は排出口１３０の排出流路１３１の上部及び栄養食収容部１１０の上部に上昇する。そして、栄養食収容部１１０の上部に上昇した外部空気は営養食を加圧して営養食が下方に落下するようにして営養食の流動速度を高めることができる。
【００６６】
前述したように、本発明の第２実施例による経管営養食フィーディングセットは、連結部２１０の上面に溝２１３を形成し、排出口１３０の雄ネジ部１３３と連結部２１０の雌ネジ部２１５の間に溝２１３と連通する空気流通路２５０を形成し、雄ネジ部１３３の螺旋に沿って互いに離隔するように多数の雄ネジ溝１３５を形成し、排出口１３０の下端と連結部２１０の内部底面の間に空気伝達流路２７０を形成することにより、第１栄養食通過流路２１１に供給される外部空気の流入通路を単純化することができるとともに外部空気が円滑に流れるようにすることができる利点がある。
【００６７】
また、第１栄養食通過流路２１１に移送された営養食は供給管Ｐ１、チャンバーＰ２、クランプＰ３及び挿入チューブＰ４を通して患者に供給される。
【００６８】
以下では、本発明の第３実施例による経管営養食フィーディングセットを説明する。
【００６９】
図７は本発明の第３実施例による経管営養食フィーディングセットの分解斜視図、図８は本発明の第３実施例による栄養パック及び連結ボディーの拡大図、図９は本発明の第３実施例による栄養パック及び連結ボディーの結合状態を示す部分断面図である。
【００７０】
図７〜図９を参照すると、本発明の第３実施例による経管営養食フィーディングセットは、栄養パック１００と、栄養パック１００に連結される連結ボディー２００と、連結ボディー２００に連結される供給管Ｐ１と、供給管Ｐ１に連結され、栄養パック１００の営養食が集まるチャンバーＰ２と、チャンバーＰ２上の営養食が供給される速度を調節するクランプＰ３と、チャンバーＰ２に集まった営養食を患者に供給する挿入チューブＰ４とを含む。
【００７１】
本発明の第３実施例による供給管Ｐ１、チャンバーＰ２、クランプＰ３及び挿入チューブＰ４は本発明の第１実施例による供給管Ｐ１、チャンバーＰ２、クランプＰ３及び挿入チューブＰ４と同一であるので、これについての詳細な説明は省略し、以下では第１実施例と違う栄養パック１００及び連結ボディー２００について説明する。
【００７２】
栄養パック１００は、内部に営養食が保存される栄養食収容部１１０と、栄養食収容部１１０と連通するように連結され、営養食を排出する排出口１３０とを含む。
【００７３】
排出口１３０は、内部に栄養食収容部１１０に保存された営養食が排出される排出流路１３１と、外周面に備えられた雄ネジ部１３３と、雄ネジ部１３３の螺旋に沿って互いに離隔するように陷沒して形成された多数の雄ネジ溝１３５とを含む。そして、図８に示すように、高さ方向を基準に隣接した雄ネジ溝１３５は互いにずれた位置に配置される。
【００７４】
連結ボディー２００は、排出口１３０と螺合する連結部２１０と、連結部２１０の下部に備えられ、連結部２１０と連通するように連結されたコネクター２３０とを含む。連結部２１０は、内部に営養食が通過するように形成された第１栄養食通過流路２１１と、外部空気が流入するように上面に形成された溝２１３と、排出口１３０の雄ネジ部１３３と螺合するように内周面に備えられた雌ネジ部２１５と、雌ネジ部２１５の螺旋に沿って互いに離隔するように陷沒して形成された多数の雌ネジ溝２１７とを含む。
【００７５】
一方、図９に示すように、本実施例では、連結部２１０と排出口１３０が螺合した状態で外部空気が連結部２１０の第１栄養食通過流路２１１に流入することができるように、排出口１３０の雄ネジ部１３３と連結部２１０の雌ネジ部２１５の間に空気流通路２５０が形成される。連結部２１０と排出口１３０が螺合した状態で排出口１３０の雄ネジ部１３３と連結部２１０の雌ネジ部２１５の間に空気流通路２５０を形成するために、排出口１３０の雄ネジ部１３３の外径Ｄ１が連結部２１０の雌ネジ部２１５の谷径Ｄ３より小さく、連結部２１０の雌ネジ部２１５の内径Ｄ４より大きく形成される。また、排出口１３０の雄ネジ部１３３の谷径Ｄ２は連結部２１０の雌ネジ部２１５の内径Ｄ４より小さく形成される。前記のような排出口１３０の雄ネジ部１３３と連結部２１０の雌ネジ部２１５を形成することにより、排出口１３０と連結部２１０が螺合した状態で雄ネジ部１３３と雌ネジ部２１５の間に離隔した空気流通路２５０が形成される。空気流通路２５０は雄ネジ部１３３及び雌ネジ部２１５の螺旋構造に対応する螺旋流路を有する。そして、排出口１３０の雄ネジ部１３３の螺旋に沿って互いに離隔するように多数の雄ネジ溝１３５が形成されるので、空気流通路２５０は雄ネジ溝１３５から分岐した分岐流路を有し、外部空気は雄ネジ溝１３５によって形成された分岐流路に沿って分岐して移送された後、下部に隣接した空気流通路２５０に合流する。さらに、外部空気は空気流通路２５０を通して移送された後、第１栄養食通過流路２１１に流入する。また、連結部２１０の雌ネジ部２１５の螺旋に沿って互いに離隔するように多数の雌ネジ溝２１７が形成されるので、空気流通路２５０は雌ネジ溝２１７から分岐した分岐流路を有し、外部空気は雌ネジ溝２１７によって形成された分岐流路に沿って分岐して移送された後、下部に隣接した空気流通路２５０に合流する。そして、外部空気は空気流通路２５０を通して移送された後、第１栄養食通過流路２１１に流入する。
【００７６】
また、本実施例では、空気流通路２５０に外部空気を流入させるために、連結部２１０の上面に外部空気が流入する溝２１３が形成される。溝２１３は連結部２１０の上面に円周方向に沿って互いに離隔するように多数形成される。したがって、外部空気は多数の溝２１３を通して空気流通路２５０に移送される。
【００７７】
コネクター２３０は連結部２１０の下部に連結部２１０と連通するように形成され、内部に第１栄養食通過流路２１１と連通する第２栄養食通過流路２３１が形成される。また、コネクター２３０は連結部２１０と一体に形成できる。
【００７８】
一方、連結部２１０と排出口１３０が螺合する場合、連結部２１０の内部底面と排出口１３０の下端が互いに離隔するように配置される。すなわち、連結部２１０の高さ方向への長さを排出口１３０の高さ方向への長さより長くすることにより、連結部２１０と排出口１３０を螺合する場合、連結部２１０の内部底面と排出口１３０の下端の間に離隔した空間が形成されるようにする。ここで、連結部２１０の内部底面と排出口１３０の下端の間に離隔した空間は空気伝達流路２７０をなし、空気伝達流路２７０は空気流通路２５０と連通する。外部空気は溝と空気流通路２５０と空気伝達流路２７０を通して第１栄養食通過流路２１１に移送される。
【００７９】
前記のように構成される本発明の第３実施例による経管営養食供給方法を説明すれば次のようである。
【００８０】
図９を参照すると、まず栄養食収容部１１０に保存された営養食は排出口１３０の排出流路１３１を通して連結部２１０の第１栄養食通過流路２１１に移動及び伝達される。
【００８１】
このとき、外部空気は連結部２１０の上面に形成された多数の溝２１３と排出口１３０の雄ネジ部１３３と連結部２１０の雌ネジ部２１５の間に形成された空気流通路２５０と連結部２１０の内部底面と排出口１３０の下端の間に形成された空気伝達流路２７０とに沿って順に移送された後、連結部２１０の第１栄養食通過流路２１１に移送される。一方、雄ネジ部１３３の螺旋に沿って多数の雄ネジ溝１３５が互いに離隔するように形成され、雌ネジ部２１５の螺旋に沿って多数の雌ネジ溝２１７が互いに離隔するように形成されるので、外部空気は雄ネジ溝１３５及び雌ネジ溝２１７から分岐して移送された後、下部に隣接した空気流通路２５０に合流することができ、よって空気流通路２５０に沿って移送される外部空気がより円滑に流れるようにすることができる。
【００８２】
そして、第１栄養食通過流路２１１に移送された外部空気は排出口１３０の排出流路１３１の上部及び栄養食収容部１１０の上部に上昇する。そして、栄養食収容部１１０の上部に上昇した外部空気は営養食を加圧して営養食が下方に落下するようにして営養食の流動速度を高めることができる。
【００８３】
前述したように、本発明の第３実施例による経管営養食フィーディングセットは、連結部２１０の上面に溝２１３を形成し、排出口１３０の雄ネジ部１３３と連結部２１０の雌ネジ部２１５の間に溝２１３と連通する空気流通路２５０を形成し、雄ネジ部１３３の螺旋に沿って互いに離隔するように多数の雄ネジ溝１３５を形成し、雌ネジ部２１５の螺旋に沿って互いに離隔するように多数の雌ネジ溝２１７を形成し、排出口１３０の下端と連結部２１０の内部底面の間に空気伝達流路２７０を形成することにより、第１栄養食通過流路２１１に供給される外部空気の流入通路を単純化することができるとともに外部空気がより円滑に流れるようにすることができる利点がある。
【００８４】
そして、第１栄養食通過流路２１１に移送された営養食は供給管Ｐ１、チャンバーＰ２、クランプＰ３及び挿入チューブＰ４を通して患者に供給される。
【００８５】
以下では、本発明の第４実施例による経管営養食フィーディングセットを説明する。
【００８６】
図１０は本発明の第４実施例による栄養パック、連結ボディー及び空気誘引ノズルの結合状態を示す断面図である。
【００８７】
図１０を参照すると、本発明の第４実施例による経管営養食フィーディングセットは、栄養パック１００と、栄養パック１００に連結される連結ボディー２００と、連結ボディー２００の内部に取り付けられ、ベンチュリ効果によって外部空気を誘引する空気誘引ノズル３００と、連結ボディー２００に連結される供給管と、供給管に連結され、栄養パック１００の営養食が集まるチャンバーと、チャンバー上の営養食が供給される速度を調節するクランプと、チャンバーに集まった営養食を患者に供給する挿入チューブとを含む。
【００８８】
本発明の第４実施例による栄養パック１００と連結ボディー２００と供給管とチャンバーとクランプと挿入チューブは本発明の第１実施例による栄養パック１００と連結ボディー２００と、供給管Ｐ１、チャンバーＰ２、クランプＰ３及び挿入チューブＰ４と同一であるので、これについての詳細な説明は省略し、以下では第１実施例と違う空気誘引ノズル３００について説明する。
【００８９】
空気誘引ノズル３００は連結部２１０の内部底面に取り付けられ、空気誘引ノズル３００は、連結部２１０と排出口１３０が螺合する場合、排出口１３０の内部に配置される。また、空気誘引ノズル３００は、営養食が排出流路１３１を通過する場合、ベンチュリ効果によって外部空気を空気流通路２５０と空気伝達流路２７０に沿って排出流路１３１側に誘引する。
【００９０】
具体的には、空気誘引ノズル３００は、連結部２１０の内部底面に取り付けられた湾曲部３１０と、排出口１３０の内周面から内側に突出するように形成されて営養食を湾曲部３１０の内部に案内する案内部３２０と、湾曲部３１０の外周面と排出口１３０の内周面の間にかつ湾曲部３１０の上端と案内部３２０の下面の間に形成され、吸入された外部空気が移送される通路である吸入部３３０とを含む。
【００９１】
湾曲部３１０は連結部２１０の内部底面に取り付けられ、円周方向に連続して形成され、高さ方向に長く形成される。そして、連結部２１０と排出口１３０が螺合する場合、湾曲部３１０は排出口１３０の内周面から内側方向に離隔するように配置される。そして、湾曲部３１０の上端は外部空気が湾曲部３１０の上端に沿って排出口１３０の内側に円滑に吸入されるように、湾曲するように形成される。すなわち、湾曲部３１０の上端は曲面形状を有する。
【００９２】
連結部２１０と排出口１３０が螺合する場合、湾曲部３１０が排出口１３０の内部に配置されるので、湾曲部３１０の内径は排出流路１３１の内径より小さい。また、湾曲部３１０の上部の内径が下部の内径より小さく形成できる。したがって、営養食が排出流路１３１から湾曲部３１０の内部を通過する場合、ベンチュリ効果によって負圧が形成される。
【００９３】
また、案内部３２０は排出口１３０の内周面に円周方向に連続して形成され、内側に突出するように形成される。そして、連結部２１０と排出口１３０が螺合する場合、案内部３２０は湾曲部３１０の上部に離隔するように配置される。そして、案内部３２０の上面は営養食を湾曲部３１０の内部に案内するように曲面形状を有する。
【００９４】
さらに、吸入部３３０は湾曲部３１０の外周面と排出口１３０の内周面の間にかつ湾曲部３１０の上端と案内部３２０の下面の間に形成される。これは、営養食が排出流路１３１から湾曲部３１０の内部を通過する場合、ベンチュリ効果によって発生した負圧によって外部空気が吸入される通路である。すなわち、営養食が湾曲部３１０を通過すれば、負圧によって外部空気が溝２１３、空気流通路２５０、空気伝達流路２７０及び吸入部３３０を通して排出流路１３１の内部に吸入される。
【００９５】
吸入部３３０から排出流路１３１に移送される外部空気は営養食の落下力によって一時下降してからまた上昇することができる。前述した空気誘引ノズル３００によって排出流路１３１に移送された外部空気量が増加すれば、栄養食収容部１１０の上部に上昇する外部空気量が増加して、栄養食収容部１１０に保存された営養食の流動速度をより高めることができる。
【００９６】
以下では、本発明の第５実施例による経管営養食フィーディングセットを説明する。
【００９７】
図１１は本発明の第５実施例による栄養パック及び連結ボディーの結合状態を示す断面図である。
【００９８】
図１１を参照すると、本発明の第５実施例による経管営養食フィーディングセットは、栄養パック１００と、栄養パック１００に連結される連結ボディー２００と、連結ボディー２００に連結される供給管と、供給管に連結され、栄養パック１００の営養食が集まるチャンバーと、チャンバー上の営養食が供給される速度を調節するクランプと、チャンバーに集まった営養食を患者に供給する挿入チューブとを含む。
【００９９】
本発明の第５実施例による栄養パック１００と供給管とチャンバーとクランプと挿入チューブは本発明の第１実施例による栄養パック１００と供給管Ｐ１、チャンバーＰ２、クランプＰ３及び挿入チューブＰ４と同一であるので、これについての詳細な説明は省略し、以下では第１実施例と違う連結ボディー２００について説明する。
【０１００】
連結ボディー２００は栄養パック１００の排出口１３０に締結され、排出口１３０から落下した営養食が通過する第１及び第２栄養食通過流路２１１、２３１が内部に形成される。
【０１０１】
具体的には、連結ボディー２００は、排出口１３０と螺合し、一側に空気流入孔２８０が形成された連結部２１０と、空気流入孔２８０に取り付けられるチェックバルブ２９０と、連結部２１０の下部に備えられ、連結部２１０と連通するように連結されたコネクター２３０とを含む。
【０１０２】
連結部２１０は内部に営養食が通過する第１栄養食通過流路２１１が形成され、内周面に排出口１３０の雄ネジ部１３３と螺合する雌ネジ部２１５が備えられ、一側に外部空気が流入する空気流入孔２８０が形成される。
【０１０３】
連結部２１０と排出口１３０が螺合するように、連結部２１０の内周面には排出口１３０の雄ネジ部１３３に対応する雌ネジ部２１５が備えられる。よって、連結部２１０と排出口１３０が螺合することにより、互いに着脱可能に結合することができる。
【０１０４】
また、連結部２１０の下部一側には外部空気が流入する空気流入孔２８０が形成される。空気流入孔２８０は連結部２１０の下部の外周面と内周面を貫通する構造に形成される。
【０１０５】
さらに、チェックバルブ２９０は空気流入孔２８０に取り付けられ、外部空気のみ通過させる。チェックバルブ２９０は外部空気を連結部２１０の内部に通過させ、内部の営養食は外部に通過させない一方向バルブである。
【０１０６】
一方、連結部２１０と排出口１３０が螺合する場合、連結部２１０の内部底面と排出口１３０の下端が互いに離隔するように配置される。すなわち、連結部２１０の高さ方向への長さを排出口１３０の高さ方向への長さより長くすることにより、連結部２１０と排出口１３０を螺合する場合、連結部２１０の内部底面と排出口１３０の下端の間に離隔した空間が形成されるようにする。ここで、連結部２１０の内部底面と排出口１３０の下端の間に離隔した空間は空気伝達流路２７０を形成する。
【０１０７】
空気流入孔２８０は空気伝達流路２７０が形成された位置に形成され、チェックバルブ２９０を通過した外部空気は空気伝達流路２７０を通して第１栄養食通過流路２１１に移送される。
【０１０８】
コネクター２３０は連結部２１０の下部に連結部２１０と連通するように形成され、第１栄養食通過流路２１１と連通する第２栄養食通過流路２３１が内部に形成される。また、コネクター２３０は連結部２１０と一体に形成できる。
【０１０９】
前記のように構成される本発明の第５実施例による経管営養食供給方法を説明すれば次のようである。
【０１１０】
図１１を参照すると、まず栄養食収容部１１０に保存された営養食は排出口１３０の排出流路１３１を通して連結部２１０の第１栄養食通過流路２１１に移動及び伝達される。
このとき、外部空気は連結部２１０の下部に形成された空気流入孔２８０に取り付けられたチェックバルブ２９０と空気伝達流路２７０に沿って順に移送された後、連結部２１０の第１栄養食通過流路２１１に移送される。
【０１１１】
そして、第１栄養食通過流路２１１に移送された外部空気は排出口１３０の排出流路１３１の上部及び栄養食収容部１１０の上部に上昇する。そして、栄養食収容部１１０の上部に上昇した外部空気は営養食を加圧して営養食が下方に落下するようにして営養食の流動速度を高めることができる。
【０１１２】
前述したように、本発明の第５実施例による経管営養食フィーディングセットは、連結部２１０の下部に形成された空気流入孔２８０に一方向チェックバルブ２９０を取り付け、排出口１３０の下端と連結部２１０の内部底面の間に空気伝達流路２７０を形成することにより、第１栄養食通過流路２１１に供給される外部空気の流入通路を単純化することができ、製造コスト及び生産コストを節減することができる利点がある。
【０１１３】
そして、第１栄養食通過流路２１１に移送された営養食は供給管とチャンバーとクランプと挿入チューブを通して患者に供給される。
【０１１４】
以下では、本発明の第６実施例による経管営養食フィーディングセットを説明する。
【０１１５】
図１２は本発明の第６実施例による栄養パック、連結ボディー及び空気誘引ノズルの結合状態を示す断面図である。
【０１１６】
図１２を参照すると、本発明の第６実施例による経管営養食フィーディングセットは、栄養パック１００と、栄養パック１００に連結される連結ボディー２００と、連結ボディー２００の内部に取り付けられ、ベンチュリ効果によって外部空気を誘引する空気誘引ノズル３００と、連結ボディー２００に連結される供給管と、供給管に連結され、栄養パック１００の営養食が集まるチャンバーと、チャンバー上の営養食が供給される速度を調節するクランプと、チャンバーに集まった営養食を患者に供給する挿入チューブとを含む。
本発明の第６実施例による栄養パック１００と連結ボディー２００と供給管とチャンバーとクランプと挿入チューブは本発明の第５実施例による栄養パック１００と連結ボディー２００と供給管とチャンバーとクランプ及び挿入チューブと同一であるので、これについての詳細な説明は省略し、以下では第５実施例と違う空気誘引ノズル３００について説明する。
【０１１７】
空気誘引ノズル３００は連結部２１０の内部底面に取り付けられ、連結部２１０と排出口１３０が螺合する場合、排出口１３０の内部に配置される。また、空気誘引ノズル３００は、営養食が排出流路１３１を通過する場合、ベンチュリ効果によって外部空気が空気流入孔２８０に取り付けられたチェックバルブ２９０を通過した後、空気伝達流路２７０に沿って排出流路１３１側に誘引されるようにする。
【０１１８】
具体的には、空気誘引ノズル３００は、連結部２１０の内部底面に取り付けられた湾曲部３１０と、排出口１３０の内周面から内側に突出するように形成されて営養食を湾曲部３１０の内部に案内する案内部３２０と、湾曲部３１０の外周面と排出口１３０の内周面の間にかつ湾曲部３１０の上端と案内部３２０の下面の間に形成され、吸入された外部空気が移送される通路である吸入部３３０とを含む。
【０１１９】
湾曲部３１０は連結部２１０の内部底面に取り付けられ、円周方向に連続して形成され、高さ方向に長く形成される。そして、連結部２１０と排出口１３０が螺合する場合、湾曲部３１０は排出口１３０の内周面から内側方向に離隔するように配置される。そして、湾曲部３１０の上端は外部空気が湾曲部３１０の上端に沿って排出口１３０の内側に円滑に吸入されるように湾曲形に形成される。すなわち、湾曲部３１０の上端は曲面形状を有する。
【０１２０】
連結部２１０と排出口１３０が螺合する場合、湾曲部３１０が排出口１３０の内部に配置されるので、湾曲部３１０の内径は排出流路１３１の内径より小さい。また、湾曲部３１０の上部の内径が下部の内径より小さく形成できる。したがって、営養食が排出流路１３１から湾曲部３１０の内部を通過する場合、ベンチュリ効果によって負圧が形成される。
【０１２１】
また、案内部３２０は排出口１３０の内周面に円周方向に連続して形成され、内側に突出するように形成される。そして、連結部２１０と排出口１３０が螺合する場合、案内部３２０は湾曲部３１０の上部に離隔するように配置される。そして、案内部３２０の上面は営養食を湾曲部３１０の内部に案内するように曲面形状を有する。
【０１２２】
さらに、吸入部３３０は湾曲部３１０の外周面と排出口１３０の内周面の間にかつ湾曲部３１０の上端と案内部３２０の下面の間に形成される。これは、営養食が排出流路１３１から湾曲部３１０の内部を通過する場合、ベンチュリ効果によって発生した負圧によって外部空気が吸入される通路である。すなわち、営養食が湾曲部３１０を通過すれば、負圧によって外部空気が空気流入孔２８０に取り付けられたチェックバルブ２９０を通過した後、空気伝達流路２７０及び吸入部３３０を通して排出流路１３１の内部に吸入される。
【０１２３】
吸入部３３０から排出流路１３１に移送される外部空気は営養食の落下力によって一時下降してからまた上昇する。前述した空気誘引ノズル３００によって排出流路１３１に移送された外部空気量が増加すれば、栄養食収容部１１０の上部に上昇する外部空気量が増加して栄養食収容部１１０に保存された営養食の流動速度をより高めることができる。
【０１２４】
このように、本発明は以上で記載した実施例に限定されるものではなく、本発明の思想及び範囲を逸脱しない範疇内で多様に修正及び変形できるのは当該技術分野で通常の知識を有する者に自明である。したがって、そのような修正例又は変形例は本発明の特許請求範囲に属すると言える。
【符号の説明】
【０１２５】
１００    栄養パック
１１０    栄養食収容部
１３０    排出口
１３１    排出流路
１３３    雄ネジ部
１３５    雄ネジ溝
２００    連結ボディー
２１０    連結部
２１１    第１栄養食通過流路
２１３    溝
２１５    雌ネジ部
２１７    雌ネジ溝
２３０    コネクター
２３１    第２栄養食通過流路
２５０    空気流通路
２７０    空気伝達流路
２８０    空気流入孔
２９０    チェックバルブ
３００    空気誘引ノズル
３１０    湾曲部
３２０    案内部
３３０    吸入部
【図１】
2020182820.tif 000003
【図２】
2020182820.tif 000004
【図３】
2020182820.tif 000005
【図４】
2020182820.tif 000006
【図５】
2020182820.tif 000007
【図６】
2020182820.tif 000008
【図７】
2020182820.tif 000009
【図８】
2020182820.tif 000010
【図９】
2020182820.tif 000011
【図１０】
2020182820.tif 000012
【図１１】
2020182820.tif 000013
【図１２】
2020182820.tif 000014